(57)【特許請求の範囲】
【請求項１】
互いに対向する前後胴周り域の間に股下域が位置し、前記前後胴周り域の縦方向へ延びる胴周り両側部が連結されて胴周り開口と一対の脚周り開口とが形成され、前記前後胴周り域と前記股下域とのうちの少なくとも該股下域に排泄物吸収手段を有するパンツ型の使い捨て着用物品において、
前記前後胴周り域のうちのいずれか一方の外面に胴周り方向へ延びるフラップが配置され、前記フラップが、前記胴周り開口の側を前記胴周り方向へ延びる第１固定領域と、前記胴周り両側部を前記縦方向へ延びる第２固定領域と、前記第１固定領域の下方に位置して前記第２固定領域の間を前記胴周り方向へ延びる自由領域とを有し、前記自由領域の前記股下域の側に延びる下端縁が、前記股下域へ向かって凸となるように画いており、前記物品の外面に着脱可能な止着手段を有する止着用テープが、前記自由領域の胴周り方向中央部に取り付けられて該自由領域を前記縦方向へ延び、
前記物品では、前記フラップの自由領域を一方の胴周り域から他方の胴周り域へ向かって裏返したときに、前記自由領域が前記胴周り開口全域を塞ぐとともに、前記物品の外面と前記フラップの自由領域との間に該物品の下方へ向かって開口するポケットが形成されることを特徴とする前記着用物品。
【請求項２】
前記止着用テープが、前記自由領域の胴周り方向中央部に固着された固定端部と、固定端部から縦方向下方へ延びる自由端部とを有し、前記自由端部が、その外面に前記止着手段を有するとともに、縦方向上方へ向かって折り曲げられて前記フラップの外面に着脱可能に仮止めされている請求項１記載の着用物品。
【請求項３】
前記自由領域の前記股下域の側に延びる下端縁近傍が、前記着用物品の外面に剥離可能に仮止めされている請求項１ないし請求項２いずれかに記載の着用物品。
【請求項４】
前記フラップが、前記縦方向と前記胴周り方向とのうちの少なくとも該縦方向へ弾性的な伸縮性を有する請求項１ないし請求項３いずれかに記載の着用物品。
【発明の詳細な説明】
【０００１】
【発明の属する技術分野】
本発明は、排泄物を吸収、保持するパンツ型の使い捨て着用物品に関する。
【０００２】
【従来の技術】
特開平１０−１４９７５号公報は、肌当接側に位置する透液性表面シートと、肌非当接側に位置する不透液性裏面シートと、それらシートの間に介在する吸液性コアとから構成され、互いに対向する前後胴周り域の間に股下域が位置し、それら胴周り域の胴周り両側部が連結されて胴周り開口と一対の脚周り開口とが画成されたパンツ型の使い捨て着用物品を開示している。前胴周り域における裏面シートの外面には、物品の廃棄時に物品を丸めておくことが可能な縦方向へ延びる細長い一本の止着用テープが取り付けられている。
【０００３】
止着用テープは、裏面シートの外面に固着された固定端部と、固定端部から縦方向下方に延びる自由端部とを有する。自由端部は、固定端部の側からその下端へ向かって弾性伸縮部、粘着部、摘持部に分かれている。排泄物で汚れた着用物品は、それを着用者から脱がせた後、後胴周り域を内側にして物品を股下域から胴周り開口に向かって縦方向へ丸め、粘着部を介して止着用テープを丸められた物品の外面に止着する。物品は、止着用テープによって丸められた状態が維持されるので、それをそのままゴミ箱に廃棄することができる。この着用物品は、止着用テープの弾性伸縮部が伸縮性を有するので、着用時の妨げになることがないように止着用テープを短くすることができるという効果を有する。
【０００４】
【発明が解決しようとする課題】
前記公報に開示の着用物品では、その廃棄時に物品が股下域から胴周り開口に向かって縦方向へ丸められるので、胴周り開口が丸められた物品の外側に露出する。廃棄するために丸められた物品では、胴周り開口を跨ぐように止着用テープを止着したとしても、止着用テープが胴周り開口の一部を塞ぐにすぎず、止着用テープによって胴周り開口の全域を塞ぐことができないので、胴周り開口から排泄物や排泄物の臭気が漏れてしまう場合がある。
【０００５】
本発明の課題は、その廃棄時に胴周り開口の全域を塞ぐことができ、排泄物や排泄物の臭気が胴周り開口から漏れることがないパンツ型の使い捨て着用物品を提供することにある。
【０００６】
【課題を解決するための手段】
前記課題を解決するための本発明の前提は、互いに対向する前後胴周り域の間に股下域が位置し、前記前後胴周り域の縦方向へ延びる胴周り両側部が連結されて胴周り開口と一対の脚周り開口とが形成され、前記前後胴周り域と前記股下域とのうちの少なくとも該股下域に排泄物吸収手段を有するパンツ型の使い捨て着用物品である。
【０００７】
前記前提における本発明の特徴は、前記前後胴周り域のうちのいずれか一方の外面に胴周り方向へ延びるフラップが配置され、前記フラップが、前記胴周り開口の側を前記胴周り方向へ延びる第１固定領域と、前記胴周り両側部を前記縦方向へ延びる第２固定領域と、前記第１固定領域の下方に位置して前記第２固定領域の間を前記胴周り方向へ延びる自由領域とを有し、前記自由領域の前記股下域の側に延びる下端縁が、前記股下域へ向かって凸となるように画いており、前記物品の外面に着脱可能な止着手段を有する止着用テープが、前記自由領域の胴周り方向中央部に取り付けられて該自由領域を前記縦方向へ延び、前記物品では、前記フラップの自由領域を一方の胴周り域から他方の胴周り域へ向かって裏返したときに、前記自由領域が前記胴周り開口全域を塞ぐとともに、前記物品の外面と前記フラップの自由領域との間に該物品の下方へ向かって開口するポケットが形成されることにある。
【０００８】
本発明の実施の態様の一例としては、前記止着用テープが、前記自由領域の胴周り方向中央部に固着された固定端部と、固定端部から縦方向下方へ延びる自由端部とを有し、前記自由端部が、その外面に前記止着手段を有するとともに、縦方向上方へ向かって折り曲げられて前記フラップの外面に着脱可能に仮止めされている。
【０００９】
【００１０】
本発明の実施の態様の他の一例としては、前記自由領域の前記股下域の側に延びる下端縁近傍が、前記着用物品の外面に剥離可能に仮止めされている。
【００１１】
本発明の実施の態様の他の一例としては、前記フラップが、前記縦方向と前記胴周り方向とのうちの少なくとも該縦方向へ弾性的な伸縮性を有する。
【００１２】
【発明の実施の形態】
添付の図面を参照し、本発明にかかるパンツ型の使い捨て着用物品の詳細を説明すると、以下のとおりである。
【００１３】
図１，２は、着用物品１Ａの部分破断斜視図と、図１のＡ−Ａ線矢視断面図とである。図１では、胴周り方向を矢印Ｘ、縦方向を矢印Ｙで示し、脚周り方向を矢印Ｚで示す。図２では、止着用テープ２１の自由端部をフラップ１６の下方へ折り返した状態を二点鎖線で示す。なお、表裏面シート２，３やフラップ１６、止着用テープ２１、防漏シート２３の内面とは、コア４に対向する面をいい、それらの外面とは、コア４に非対向の面をいう。
【００１４】
着用物品１Ａは、肌当接側に位置する透液性の表面シート２と、肌非当接側に位置する実質的に不透液性の裏面シート３と、表裏面シート２，３の間に介在してそれらシート２，３の少なくとも一方の内面に固着された吸液性コア４（排泄物吸収手段）とを主要な構成部材とする。物品１Ａは、それら構成部材の他に、胴周り方向へ延びる実質的に不透液性のフラップ１６と、縦方向へ延びる止着用テープ２１と、縦方向へ延びる実質的に不透液性の防漏シート２３とを有する。
【００１５】
物品１Ａは、互いに対向する前胴周り域５および後胴周り域７と、それら胴周り域５，７の間に位置する股下域６とを備え、前後胴周り域５，７を胴周り方向へ延びる胴周り端部８と、前後胴周り域５，７を縦方向へ延びる胴周り両側部９と、股下域６を脚周り方向へ延びる脚周り両側部１０とを有する。コア４は、胴周り端部８と胴周り両側部９と脚周り両側部１０との内側に位置し、股下域６から前後胴周り域５，７へ向かって縦方向へ延びている。
【００１６】
物品１Ａでは、前胴周り域５の胴周り両側部９と後胴周り域７の胴周り両側部９とが合掌状に重なり合い、それら胴周り両側部９が縦方向へ間欠的に並ぶ多数の熱融着線１１を介して固着されている。物品１Ａには、胴周り開口１２とその下方に一対の脚周り開口１３とが形成されている。
【００１７】
胴周り端部８には、胴周り方向へ延びる複数条の胴周り用弾性部材１４が伸長状態で取り付けられている。脚周り両側部１０には、脚周り方向へ延びる複数条の脚周り用弾性部材１５が伸長状態で取り付けられている。
【００１８】
フラップ１６は、胴周り方向へ長い帯状を呈し、前胴周り域５における裏面シート３の外面に配置されている。フラップ１６は、対向する面が固着された互いに重なり合う実質的に非伸縮性の２枚の疎水性繊維不織布１７，１８から形成されている。フラップ１６には、縦方向へ所与寸法離間して胴周り方向へ延びる複数条の伸縮性弾性部材１９が伸長状態で取り付けられている。弾性部材１９は、フラップ１６を形成する不織布１７，１８の間に介在し、それら不織布１７，１８の対向面に固着されている。
【００１９】
フラップ１６は、前胴周り域５の胴周り端部８に固着されて胴周り方向へ延びる第１固定領域１６ａと、前胴周り域５の胴周り両側部９に固着されて縦方向へ延びる第２固定領域１６ｂと、第１固定領域１６ａの下方に位置して第２固定領域１６ｂの間を胴周り方向へ延びる自由領域１６ｃとを有する。自由領域１６ｃでは、股下域６の側に延びる下端縁１６ｄ近傍が胴周り方向へ間欠的に並ぶ多数の仮着部２０を介して裏面シート３の外面に剥離可能に仮止めされている。下端縁１６ｄ近傍を除く自由領域１６ｃの残余の部位は、裏面シート３に固着されておらず、裏面シート３から遊離している。自由領域１６ｃの胴周り方向中央部１６ｅには、縦方向へ延びる止着用テープ２１が取り付けられている。
【００２０】
止着用テープ２１は、自由領域１６ｃの胴周り方向中央部１６ｅに固着された固定端部２１ａと、固定端部２１ａから縦方向下方へ延びる自由端部２１ｂとを有する。止着用テープ２１は、可撓性を有するプラスチックフィルムから形成されている。自由端部２１ｂの外面には、粘着剤２２（止着手段）が塗布されている。自由端部２１ｂは、自由領域１６ｃの下端縁１６ｄ近傍で折曲されて縦方向上方へ向かって折り曲げられ、粘着剤２２を介して固定端部２１ａに着脱可能に仮止めされている。
【００２１】
防漏シート２３は、表面シート２の外面を股下域６から前後胴周り域５，７へ向かって縦方向へ延びている。防漏シート２３は、コア４の両側縁４ｂの外側近傍に固着されて縦方向へ延びる固定側部２３ａと、表面シート２の上方へ起立性向を有して縦方向へ延びる自由側部２３ｂと、物品１Ａの胴周り方向内方へ倒伏した状態で前後胴周り域５，７に固着された固定両端部２３ｃとを有する。自由側部２３ｂには、縦方向へ延びる伸縮性弾性部材２４が伸長状態で取り付けられている。弾性部材２４は、自由側部２３ｂの一部に被覆されている。
【００２２】
胴周り端部８では、コア４の両端縁４ａから表面シート２の端部２ａと裏面シート３の端部３ａとが縦方向外方へ延び、それらシート２，３の端部２ａ，３ａ内面どうしが互いに重なり合った状態で固着されている。防漏シート２３の固定両端部２３ｃは、表面シート２の端部２ａ外面に固着されている。胴周り用弾性部材１４は、表面シート２の端部２ａと裏面シート３の端部３ａとの間に介在し、それらシート２，３の端部２ａ，３ａ内面に固着されている。
【００２３】
胴周り側部９と脚周り側部１０とでは、コア４の両側縁４ｂから横方向外方へ表面シート２の側部２ｂがわずかに延び、側部２ｂからさらに横方向外方へ裏面シート３の側部３ｂと防漏シート２３の固定側部２３ａとが延びている。胴周り側部９と脚周り側部１０とでは、表面シート２の側部２ｂが裏面シート３の側部３ｂと防漏シート２３の固定側部２３ａとの間に介在し、それらシート２，３，２３の側部２ｂ，３ｂ，２３ａどうしが互いに重なり合った状態で固着されている。脚周り用弾性部材１５は、脚周り側部１０に延びる裏面シート３の側部３ｂと防漏シート２３の固定側部２３ａとの間に介在し、それらシート３，２３の側部３ｂ，２３ａ内面に固着されている。フラップ１６の第１固定領域１６ａと第２固定領域１６ｂとは、裏面シート３の外面に固着されている。止着用テープ２１の固定端部２１ａは、フラップ１６を形成する不織布１８に固着されている。
【００２４】
図３，４は、物品１Ａを廃棄する手順を説明する物品１Ａの側面図と、廃棄するために丸められた物品１Ａの斜視図とである。図３では、物品１Ａの丸められた状態とフラップ１６の自由領域１６ｃを後胴周り域７の側へ裏返した状態とを二点鎖線で示す。
【００２５】
排泄物で汚れた物品１Ａを廃棄する手順を説明すると、以下のとおりである。この物品１Ａでは、止着用テープ２１の自由端部２１ｂを固定端部２１ａから剥がし、自由端部２１ｂを縦方向下方へ向かって折り返した後、止着用テープ２１の自由端部２１ｂを前胴周り域５の側から後胴周り域７の側へ向かって縦方向へ旋回させる。物品１Ａでは、止着用テープ２１の旋回にともなって自由領域１６ｃの下端縁１６ｄが裏面シート３から剥がれ、止着用テープ２１とともにフラップ１６の自由領域１６ｃが矢印Ｌ１で示す前胴周り域５の側から後胴周り域７の側へ向かって旋回する。物品１Ａでは、フラップ１６の自由領域１６ｃが胴周り開口１２を縦方向へ越えて後胴周り域７の側に裏返しになり、図３に二点鎖線で示すように、フラップ１６と裏面シート３との間に物品１Ａの下方へ向かって開口するポケットＰが形成される。
【００２６】
フラップ１６の自由領域１６ｃを後胴周り域７の側に裏返した後は、後胴周り域７を内側にして物品１Ａを矢印Ｌ２で示す股下域６から胴周り開口１２へ向かって縦方向へ丸め、物品１Ａの丸められた部分をポケットＰに収容するとともに、粘着剤２２を介して止着用テープ２１の自由端部２１ｂ外面を丸められた物品１Ａの裏面シート３の外面に止着する。
【００２７】
物品１Ａでは、後胴周り域７の側へ裏返ったフラップ１６の自由領域１６ｃが胴周り開口１２の全域を覆うので、自由領域１６ｃによって胴周り開口１２全域を塞ぐことができる。物品１Ａでは、その廃棄時に胴周り開口１２が丸められた物品１Ａの外側に露出したとしても、フラップ１６の自由領域１６ｃによって胴周り開口１２全域が塞がれるので、胴周り開口１２から排泄物や排泄物の臭気が漏れてしまうことを防ぐことができる。物品１Ａでは、止着用テープ２１によってその丸められた状態を維持することができるとともに、止着用テープ２１によって物品１Ａの丸められた部分がポケットＰから不用意に抜け出ることを防ぐことができる。
【００２８】
物品１Ａでは、フラップ１６に胴周り方向へ延びる複数条の弾性部材１９が取り付けられているので、物品１Ａを着用したときに、弾性部材１９の収縮力を利用して着用者の胴部を締め付けることができ、着用者の胴部からの物品１Ａのずれ下がりを防ぐことができる。物品１Ａでは、それが表面シート２を内側にして縦方向へ湾曲しているので、弾性部材１５の収縮によって防漏シート２３の自由側部２３ｂが表面シート２の上方へ起立する。物品１Ａでは、防漏シート２３の自由側部２３ｂが排泄物に対する障壁を形成するので、脚周り両側部１０からの排泄物の漏れを防ぐことができる。
【００２９】
物品１Ａでは、その廃棄時にそれを縦方向へ丸めることなく、止着用テープ２１とともにフラップ１６の自由領域１６ｃを前胴周り域５の側から後胴周り域７の側へ向かって旋回させ、自由領域１６ｃを後胴周り域７の側へ向かって裏返した後、止着用テープ２１の自由端部２１ｂを裏面シート３の外面に止着してもよい。この場合でも、フラップ１６の自由領域１６ｃによって物品１Ａの胴周り開口１２全域が塞がれるので、胴周り開口１２から排泄物や排泄物の臭気が漏れてしまうことはない。
【００３０】
図５，６は、他の実施の形態を示す着用物品１Ｂの部分破断斜視図と、図５のＢ−Ｂ線矢視断面図とであり、図７は、廃棄するために丸められた図５の物品１Ｂの斜視図とである。図５では、胴周り方向を矢印Ｘ、縦方向を矢印Ｙで示し、脚周り方向を矢印Ｚで示す。この着用物品１Ｂは、透液性の表面シート２と実質的に不透液性の裏面シート３との間に吸液性コア４が介在し、前胴周り域５における裏面シート３の外面に胴周り方向へ延びる帯状のフラップ１６が配置され、フラップ１６に縦方向へ延びる止着用テープ２１が取り付けられている点において図１のそれと同一である。この物品１Ｂが図１のそれと異なる点は、以下のとおりである。
【００３１】
フラップ１６では、自由領域１６ｃの股下域６の側に延びる下端縁１６ｄが股下域６の縦方向中央部へ向かって凸となるように画いている。フラップ１６は、縦方向と胴周り方向とヘ弾性的な伸縮性を有する疎水性繊維不織布２５から形成されている。
【００３２】
フラップ１６は、それを胴周り方向へ伸長することなく、その第２固定領域１６ｂが前胴周り域５の胴周り両側部９に固着されている。自由領域１６ｃの下端縁１６ｄは、裏面シート３の外面に固着されておらず、裏面シート３から遊離している。
【００３３】
排泄物で汚れた物品１Ｂを廃棄するには、図３に示す手順と同様に、フラップ１６の自由領域１６ｃを後胴周り域７の側に裏返した後、後胴周り域７を内側にして物品１Ｂを股下域６から胴周り開口１２へ向かって縦方向へ丸め、物品１Ｂの丸められた部分をポケットＰに収納するとともに、粘着剤２２を介して止着用テープ２１の自由端部２１ｂ外面を丸められた物品１Ｂの裏面シート３の外面に止着する。
【００３４】
物品１Ｂでは、フラップ１６の自由領域１６ｃの下端縁１６ｄが股下域６の縦方向中央部へ向かって凸を画いているので、フラップ１６と裏面シート３との間に形成されるポケットＰの縦方向の寸法を図１のそれよりも大きくすることができ、物品１Ｂの丸められた部分をポケットＰに確実に収容することができる。物品１Ｂでは、フラップ１６が伸縮性を有する不織布２５から形成されているので、後胴周り域７の側へ裏返したフラップ１６の自由領域１６ｃを縦方向へ伸長させることができ、物品１Ｂの丸められた部分の略全域をポケットＰに収容することができる。
【００３５】
物品１Ｂでは、その廃棄時に胴周り開口１２が丸められた物品１Ｂの外側に露出したとしても、図７に示すように、フラップ１６の自由領域１６ｃによって胴周り域開口１２全域が塞がれるので、図１のそれと同様に、胴周り開口１２から排泄物や排泄物の臭気が漏れてしまうことはない。
【００３６】
それら図示の物品１Ａ，１Ｂでは、フラップ１６が前胴周り域５における裏面シート３の外面に配置されているが、フラップ１６が後胴周り域７における裏面シート３の外面に配置されていてもよい。それら図示の物品１Ａ，１Ｂでは、フラップ１６が親水性繊維不織布から形成されていてもよい。それら図示の物品１Ａ，１Ｂでは、止着用テープ２１が繊維不織布から形成され、止着用テープ２１の自由端部２１ｂにメカニカルファスナのうちのフック部材（止着手段）が取り付けられていてもよい。
【００３７】
図１の物品１Ａでは、フラップ１６に胴周り方向へ延びる弾性部材１９が取り付けられていなくてもよく、図５のそれと同様に、フラップ１６が縦方向と胴周り方向とヘ弾性的な伸縮性を有する繊維不織布から形成されていてもよい。図１の物品１Ａでは、前胴周り域５に表裏面シート２，３とは別体のフラップ１６が取り付けられているが、表裏面シート２，３のうちの少なくとも一方が胴周り端部８から物品１Ａの外側へ向かって折り返されてフラップ１６を形成していてもよい。
【００３８】
図５の物品１Ｂでは、図１のそれと同様に、フラップ１６が実質的に非伸縮性の繊維不織布から形成されていてもよく、フラップ１６の下端縁１６ｄ近傍が仮着部２０を介して裏面シート３の外面に剥離可能に仮止めされていてもよい。
【００３９】
表面シート２には、親水性繊維不織布、多数の開孔を有する疎水性繊維不織布、微細な多数の開孔を有するプラスチックフィルムのいずれかを使用することができる。裏面シート３には、疎水性繊維不織布、通気不透液性プラスチックフィルム、疎水性繊維不織布を重ね合わせた複合不織布、疎水性繊維不織布と通気不透液性プラスチックフィルムとを重ね合わせた複合シートのいずれかを使用することができる。裏面シート３やフラップ１６には、高い耐水性を有するメルトブローン法による繊維不織布を、高い強度と良好な柔軟性とを有するスパンボンド法による繊維不織布で挟んだ複合不織布を使用することもできる。
【００４０】
フラップ１６には、繊維不織布１７，１８，２５の他に、可撓性を有する柔軟な非伸縮性プラスチックフィルム、または、可撓性を有する柔軟な伸縮性プラスチックフィルムのいずれかを使用することもできる。
【００４１】
非伸縮性不織布には、スパンレース、ニードルパンチ、メルトブローン、サーマルボンド、スパンポンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレンやポリエチレン／ポリエステルからなる芯鞘型複合繊維または並列型複合繊維を使用することができる。
【００４２】
伸縮性不織布には、メルトブローンやスパンボンドの各製法により製造されたものを使用することができる。伸縮性不織布の構成繊維には、熱可塑性エラストマー樹脂を溶融、紡糸した伸縮性繊維を使用することができる。また、フラップ１６には、熱可塑性エラストマー樹脂繊維からなる伸縮性繊維不織布の少なくとも片面に、ポリプロピレン、ポリエチレン、ポリエステル、のいずれかの熱可塑性合成樹脂を溶融、紡糸した捲縮繊維からなる繊維不織布を貼り合わせた複合不織布を使用することもできる。
【００４３】
コア４は、フラッフパルプと高吸収性ポリマー粒子との混合物、または、フラッフパルプと高吸収性ポリマー粒子と熱可塑性合成樹脂繊維との混合物であり、所要の厚みに圧縮されている。コア４は、それの型崩れやポリマー粒子の脱落を防止するため、全体がティッシュペーパーや親水性繊維不織布等の透液性シートに被覆されていることが好ましい。ポリマー粒子としては、デンプン系、セルロース系、合成ポリマー系のものを使用することができる。
【００４４】
表裏面シート２，３の固着、コア４の固着、弾性部材１４，１５，１９，２３の固着、フラップ１６や止着用テープ２１の固着、防漏シート２３の固着には、ホットメルト型接着剤、または、ヒートシールやソニックシール等の熱による溶着手段を利用することができる。
【００４５】
【発明の効果】
本発明にかかるパンツ型の使い捨て着用物品によれば、その廃棄時に胴周り開口が丸められた物品の外側に露出したとしても、一方の胴周り域から他方の胴周り域へ向かって裏返されたフラップの自由領域によって胴周り開口全域が塞がれるので、胴周り開口から排泄物や排泄物の臭気が漏れてしまうことを防ぐことができる。また、この物品では、その廃棄時に止着用テープによって物品の丸められた状態を維持することができるとともに、止着用テープによって物品の丸められた部分がポケットから不用意に抜け出ることを防ぐことができる。
【００４６】
フラップの自由領域の下端縁が物品の股下域へ向かって凸となるように画く着用物品では、フラップと裏面シートとの間に形成されるポケットの縦方向の寸法を大きくすることができ、物品の丸められた部分をポケットに確実に収容することができる。
【００４７】
フラップが縦方向と胴周り方向とのうちの少なくとも縦方向ヘ弾性的な伸縮性を有する着用物品では、裏返されたフラップの自由領域を縦方向へ伸長させることができるので、物品の丸められた部分の略全域をポケットに収容することができる。
【図面の簡単な説明】
【図１】  着用物品の部分破断斜視図。
【図２】  図１のＡ−Ａ線矢視断面図。
【図３】  物品を廃棄する手順を説明する物品の側面図。
【図４】  廃棄するために丸められた物品の斜視図。
【図５】  他の実施の形態を示す着用物品の部分破断斜視図。
【図６】  図５のＢ−Ｂ線矢視断面図。
【図７】  廃棄するために丸められた図５の物品の斜視図。
【符号の説明】
１Ａ，１Ｂ      パンツ型の使い捨て着用物品
４              吸液性コア（排泄物吸収手段）
５              前胴周り域
６              股下域
７              後胴周り域
９              胴周り両側部
１２              胴周り開口
１３              脚周り開口
１６              フラップ
１６ａ            第１固定領域
１６ｂ            第２固定領域
１６ｃ            自由領域
１６ｄ            下端縁
１６ｄ            胴周り方向中央部
２１              止着用テープ
２１ａ            固定端部
２１ｂ            自由端部
２２              粘着剤（止着手段）
Ｐ              ポケット
【図１】
0003735561.tif 000002
【図２】
0003735561.tif 000003
【図３】
0003735561.tif 000004
【図４】
0003735561.tif 000005
【図５】
0003735561.tif 000006
【図６】
0003735561.tif 000007
【図７】
0003735561.tif 000008